(57)【特許請求の範囲】
【請求項１】
前面に開口を有する自動販売機本体の内部に形成された商品収容庫に配設され、該商品収容庫に設けられた商品収納装置から払い出された商品を搬出することで、前記自動販売機本体の前面開口を開閉する外扉に設けられた商品取出口を通じて該商品を取り出し可能な状態にさせる自動販売機の商品搬出装置において、
前端部が載置台に載置された状態で後方に向けて漸次上方に傾斜する態様で後端部が支持された板状の搬出基部と、
駆動力が付与されることにより前記搬出基部の後端部より離隔する態様で配設された回転軸回りに該後端部を回転させることで、前記前端部が前記載置台に摺接する態様で前記搬出基部を上下方向及び前後方向に沿って搬出駆動させることで、該搬出基部の上面に払い出された商品を搬出する搬出駆動機構とを備え、
前記搬出駆動機構は、前記搬出基部を搬出駆動させることにより該搬出基部の上面に払い出された商品を、前記商品収容庫の前面開口を開閉する内扉の商品搬出口を通過させて搬出するものであり、
前記商品搬出口の上端縁部の後面に配設され、かつ搬出される商品の通過域に対して進退移動可能にフラッパ部材を備え、
前記フラッパ部材は、前記商品の通過域に進出移動する場合に、商品搬出口を閉塞することなく下端部が該商品搬出口の上端縁より下方に突出するよう配置されることを特徴とする自動販売機の商品搬出装置。
【請求項２】
前記搬出基部は、上方に向けて突出する段状部が前後方向とは異なる方向に沿って延在する態様で所定間隔毎に上面に配設されることで段差が形成されて成ることを特徴とする請求項１に記載の自動販売機の商品搬出装置。
【請求項３】
前記段状部は、前後方向に対して左右に傾斜する方向に沿って延在する態様で所定間隔毎に前記搬出基部の上面に配設されることを特徴とする請求項２に記載の自動販売機の商品搬出装置。
【請求項４】
前記フラッパ部材は、湾曲形状を成しており、かつ一端部に設けられた軸部の中心軸回りに揺動可能となる態様で該軸部が前記上端縁部に支持されて配設されていることを特徴とする請求項１〜３のいずれか１つに記載の自動販売機の商品搬出装置。
【請求項５】
前記フラッパ部材は、湾曲形状を成しており、かつ一端部に設けられた軸部が前記上端縁部に形成された長孔に挿通されて支持されることで変位可能に配設されていることを特徴とする請求項１〜３のいずれか１つに記載の自動販売機の商品搬出装置。
【請求項６】
前記搬出基部に向けて漸次下方に傾斜する態様で配設され、かつ前記商品収納装置の一部より払い出された商品を前記搬出基部に向けて搬送するシュータを備え、
前記シュータには、搬送する商品に応じて該商品を搬送する部位に該シュータの傾斜角度よりも大きい傾斜角度を有するアタッチメント部材が必要に応じて取り付けられていることを特徴とする請求項１〜５のいずれか１つに記載の自動販売機の商品搬出装置。
【発明の詳細な説明】
【技術分野】
【０００１】
本発明は、自動販売機の商品搬出装置に関し、より詳細には、例えば缶入り飲料やペットボトル入り飲料等や箱入り菓子等のような種々の商品を販売する自動販売機に適用される商品搬出装置に関するものである。
【背景技術】
【０００２】
従来、例えば缶入り飲料やペットボトル入り飲料等の商品を販売する自動販売機の商品搬出装置として、自動販売機本体である本体キャビネットの内部に形成された商品収容庫に前方に向かうに連れて漸次下方に傾斜する態様で配設されたシュータと、該シュータに振動を与える加振装置とを備えたものが知られている。
【０００３】
このような商品搬出装置においては、加振装置がシュータに振動を与えることで、商品収容庫に設けられた商品収納ラックから払い出された商品をシュータ上で転動若しくは滑動させて搬出し、これにより本体キャビネットの前面開口を開閉する外扉に設けられた商品取出口を通じて該商品を取り出し可能な状態にさせている（例えば、特許文献１参照）。
【先行技術文献】
【特許文献】
【０００４】
【特許文献１】特許第２９７３６１０号公報
【発明の概要】
【発明が解決しようとする課題】
【０００５】
ところで、昨今の自動販売機においては、販売商品の多様性等の要請により、缶やペットボトル等の略円筒状の容器に入れられた飲料商品だけでなく、箱状の容器に入れられた菓子商品等も販売対象としている。
【０００６】
そのため、上述した特許文献１に提案されているようなシュータに振動を付与して搬出する商品搬出装置では、缶入り飲料やペットボトル入り飲料等の商品には有効であっても、箱状の容器に入れられた菓子等の商品に対しては容器の形状等により良好に搬出できない虞れがあった。特に引用文献１に提案の商品搬出装置では、シュータの傾斜角度を小さくして設置スペースの低減化を図っている関係上、箱状の容器に入れられた菓子等の商品を良好に搬送できない可能性が極めて高いものとなる。
【０００７】
本発明は、上記実情に鑑みて、商品詰まり等を発生させずに各種商品を良好に搬出することができる自動販売機の商品搬出装置を提供することを目的とする。
【課題を解決するための手段】
【０００８】
上記目的を達成するために、本発明に係る自動販売機の商品搬出装置は、前面に開口を有する自動販売機本体の内部に形成された商品収容庫に配設され、該商品収容庫に設けられた商品収納装置から払い出された商品を搬出することで、前記自動販売機本体の前面開口を開閉する外扉に設けられた商品取出口を通じて該商品を取り出し可能な状態にさせる自動販売機の商品搬出装置において、前端部が載置台に載置された状態で後方に向けて漸次上方に傾斜する態様で後端部が支持された板状の搬出基部と、駆動力が付与されることにより前記搬出基部の後端部より離隔する態様で配設された回転軸回りに該後端部を回転させることで、前記前端部が前記載置台に摺接する態様で前記搬出基部を上下方向及び前後方向に沿って搬出駆動させることで、該搬出基部の上面に払い出された商品を搬出する搬出駆動機構とを備え、前記搬出駆動機構は、前記搬出基部を搬出駆動させることにより該搬出基部の上面に払い出された商品を、前記商品収容庫の前面開口を開閉する内扉の商品搬出口を通過させて搬出するものであり、前記商品搬出口の上端縁部の後面に配設され、かつ搬出される商品の通過域に対して進退移動可能にフラッパ部材を備え、前記フラッパ部材は、前記商品の通過域に進出移動する場合に、商品搬出口を閉塞することなく下端部が該商品搬出口の上端縁より下方に突出するよう配置されることを特徴とする。
【０００９】
また本発明は、上記自動販売機の商品搬出装置において、前記搬出基部は、上方に向けて突出する段状部が前後方向とは異なる方向に沿って延在する態様で所定間隔毎に上面に配設されることで段差が形成されて成ることを特徴とする。
【００１０】
また本発明は、上記自動販売機の商品搬出装置において、前記段状部は、前後方向に対して左右に傾斜する方向に沿って延在する態様で所定間隔毎に前記搬出基部の上面に配設されることを特徴とする。
【００１２】
また本発明は、上記自動販売機の商品搬出装置において、前記フラッパ部材は、湾曲形状を成しており、かつ一端部に設けられた軸部の中心軸回りに揺動可能となる態様で該軸部が前記上端縁部に支持されて配設されていることを特徴とする。
【００１３】
また本発明は、上記自動販売機の商品搬出装置において、前記フラッパ部材は、湾曲形状を成しており、かつ一端部に設けられた軸部が前記上端縁部に形成された長孔に挿通されて支持されることで変位可能に配設されていることを特徴とする。
【００１４】
また本発明は、上記自動販売機の商品搬出装置において、前記搬出基部に向けて漸次下方に傾斜する態様で配設され、かつ前記商品収納装置の一部より払い出された商品を前記搬出基部に向けて搬送するシュータを備え、前記シュータには、搬送する商品に応じて該商品を搬送する部位に該シュータの傾斜角度よりも大きい傾斜角度を有するアタッチメント部材が必要に応じて取り付けられていることを特徴とする。
【発明の効果】
【００１５】
本発明によれば、搬出基部が、前端部が載置台に載置された状態で後方に向けて漸次上方に傾斜する態様で後端部が支持され、搬出駆動機構が、駆動力が付与されることにより搬出基部の後端部より離隔する態様で配設された回転軸回りに該後端部を回転させることで、前端部が載置台に摺接する態様で搬出基部を上下方向及び前後方向に沿って搬出駆動させるので、略円筒状の容器に入れられた商品だけでなく、箱状の容器に入れられた商品についても搬出することができるので、商品詰まり等を発生させずに各種商品を良好に搬出することができるという効果を奏する。
【図面の簡単な説明】
【００１６】
【図１】図１は、本発明の実施の形態である商品搬出装置が適用された自動販売機の内部構造を示すものであり、図１の（ａ）は内部構造を模式的に示す説明図であり、図１の（ｂ）は内部構造を模式的に示す断面側面図である。
【図２】図２は、図１に示した商品搬出装置（本実施の形態である商品搬出装置）の要部を示す斜視図である。
【図３】図３は、図２に示した搬出ユニットを示す斜視図である。
【図４】図４は、図３に示した搬出ユニットの要部を示す側面図である。
【図５】図５は、図３に示した搬出ユニットの要部を拡大して示す斜視図である。
【図６】図６は、図４に示した搬出ユニットの要部の動作を模式的に示す側面図であり、一部を断面で示している。
【図７】図７は、本発明の実施の形態である商品搬出装置の変形例の要部を拡大して示す断面側面図である。
【発明を実施するための形態】
【００１７】
以下に添付図面を参照して、本発明に係る自動販売機の商品搬出装置の好適な実施の形態について詳細に説明する。
【００１８】
図１は、本発明の実施の形態である商品搬出装置が適用された自動販売機の内部構造を示すものであり、図１の（ａ）は内部構造を模式的に示す説明図であり、図１の（ｂ）は内部構造を模式的に示す断面側面図である。ここで例示する自動販売機は、本体キャビネット１、外扉２及び内扉３を備えている。
【００１９】
本体キャビネット１は、前面に開口が形成された直方状の断熱筐体として形成されたものである。この本体キャビネット１の内部には、複数の独立した商品収容庫４が左右に並設されている。これら商品収容庫４は、商品を所望の温度状態に維持した状態で収容するためのものであり、それぞれの上方部に商品収納装置１０が配設されている一方、その下方部に熱交換器５等が配設されている。そして、熱交換器５等の駆動により、商品収納装置１０に収納された商品を所望の冷却温度、あるいは加熱温度に維持することが可能である。
【００２０】
外扉２は、本体キャビネット１の前面開口を覆うためのもので、本体キャビネット１の一側縁部に開閉可能に配設されている。図には明示していないが、この外扉２の前面には、ディスプレイウィンドウ、商品選択ボタン、紙幣挿通口、硬貨投入口、返却レバー、一体表示器、硬貨返却口、商品取出口２ａ等々、商品を販売する際に必要となるものが設けられている。尚、商品取出口２ａは、商品取出扉２ｂにより開閉されるものである。
【００２１】
内扉３は、商品収容庫４の前面開口を覆うための断熱扉であり、外扉２よりも内方となる位置において本体キャビネット１の一側縁部に開閉可能に配設されている。この内扉３の下方部には、商品を商品収容庫４の外部に搬出するための商品搬出口３ａ（図６参照）が設けられている。
【００２２】
上記商品収納装置１０は、図１の（ｂ）に示すように前後３列に並ぶように配設してある。そして、これら商品収納装置１０のうち、左側の商品収容庫４に配設されたもの、中央の商品収容庫４に配設されたもの、並びに右側の商品収容庫４のうち右側に配設されたものは、例えば缶やペットボトル等の略円筒状容器に入れられた飲料商品を収納するものであり、いわゆるサーペンタイン式の商品収納装置１０である。
【００２３】
このサーペンタイン式の商品収納装置１０は、図には明示しないが、上下方向に沿って蛇行状に画成された商品収納通路を有し、該商品収納通路の内部に上下方向に沿って複数の商品（飲料商品）を横倒し姿勢で収納するものである。そして、商品収納通路の下方部に設けられた払出機構により、払出指令に応じて１つずつ下方に払い出される構成を有している。
【００２４】
一方、上記商品収納装置１０のうち、右側の商品収容庫４のうち左側に配設されたものは、例えば箱状の容器に入れられた菓子商品を収納するものであり、いわゆる直積式の商品収納装置１０である。
【００２５】
この直積式の商品収納装置１０は、図には明示しないが、上下方向に沿って画成された商品収納通路を有し、該商品収納通路の内部に上下方向に沿って複数の商品（菓子商品）を横倒し姿勢で直積み収納するものである。そして、商品収納通路の下方部に設けられた払出機構により、払出指令に応じて１つずつ下方に払い出される構成を有している。
【００２６】
上記商品収容庫４のうち、左側の商品収容庫４及び中央の商品収容庫４においては、商品収納装置１０（サーペンタイン式の商品収納装置１０）の下方域に図示せぬ商品シュータが設けられている。商品シュータは、従来公知のものであり、商品収納装置１０から払い出された商品を内扉３の商品搬出口３ａに案内するためのプレート状部材であり、前方側に向けて漸次下方に傾斜する態様で配設されている。
【００２７】
一方、上記商品収容庫４のうち、右側の商品収容庫４においては、商品収納装置１０（サーペンタイン式の商品収納装置１０及び直積式の商品収納装置１０）の下方域に本実施の形態である商品搬出装置２０が設けられている。
【００２８】
図２は、図１に示した商品搬出装置（本実施の形態である商品搬出装置）を示す斜視図である。ここに例示する商品搬出装置２０は、搬出ユニット３０、搬出シュータ４０及び搬出フラッパ５０を備えて構成されている。
【００２９】
搬出ユニット３０は、内扉３の商品搬出口３ａの後方域に配設されており、図３に示すように搬出基部３１と搬出駆動機構３２とを備えて構成されている。
【００３０】
搬出基部３１は、図４及び図５にも示すように、前端部３１１が載置台３５に載置された状態で後方に向けて漸次上方に傾斜する態様で後端部３１２がロッド３２１に支持された板状部材である。
【００３１】
この搬出基部３１の上面には表面材３１ａが設けられている。かかる表面材３１ａは、平板状の基部３１ａ１の上面に、上方に向けて突出する複数の段状部３１ａ２が前後方向に対して左右に傾斜する方向に沿って延在する態様で所定間隔毎に配設されることで構成されている。
【００３２】
つまり、搬出基部３１の上面には、複数の段状部３１ａ２が前後方向に対して左右に傾斜する方向に沿って延在する態様で所定間隔毎に設けられることで段差が形成されている。
【００３３】
また、搬出基部３１の前端部３１１が載置される載置台３５は、板金を屈曲して構成されるものであるが、その載置面は平滑な面とされており、必要に応じて樹脂材により被覆されている。
【００３４】
搬出駆動機構３２は、上記ロッド３２１の他、回転軸３２２及び回転ユニット３２３を備えて構成されている。ロッド３２１は、左右一対の長尺平板状部材であって、外方に向けて突出する軸状部３２１ａを有しており、かかる軸状部３２１ａに搬出基部３１の後端部３１２が巻回されることで該搬出基部３１を支持するものである。これらロッド３２１には、該軸状部３２１ａから自身の長手方向に沿って離間した位置に角孔３２１ｂが設けられている。
【００３５】
回転軸３２２は、円柱状の形態を成しており、ベース３６に設けられた図示せぬ貫通孔を貫通する態様で該ベース３６に架設されている。かかるベース３６は、鋼板を屈曲等させることにより構成されたものであり、上記載置台３５を支持するものである。この回転軸３２２の両端部３２２ａは、角柱状に加工されており、それぞれがロッド３２１の角孔３２１ｂに挿通している。
【００３６】
回転ユニット３２３は、図には明示しないが、主にギア等により構成されており、モータ３２４が駆動することにより該モータ３２４の駆動を回転軸３２２に伝達して該回転軸３２２をその中心軸回りに所定の回転数で回転させるものである。
【００３７】
搬出シュータ４０は、搬出ユニット３０（搬出基部３１）の後方域に設けられており、搬出ユニット３０に向けて漸次下方に傾斜する態様で配設されている。この搬出シュータ４０は、搬出ユニット３０よりも後方側の商品収納装置１０から払い出された商品を該搬出ユニット３０に向けて搬送するものである。
【００３８】
この搬出シュータ４０においては、直積式の商品収納装置１０の下方域となる部位にはアタッチメント部材４１が取り付けられている。このアタッチメント部材４１は、搬出シュータ４０よりも大きな傾斜角度を有する搬出面４１ａを備えている。
【００３９】
また、この搬出シュータ４０とは別に、搬出ユニット３０の両側域には該搬出シュータ４０に向けて漸次下方に傾斜するガイド４２が設けられている。このガイド４２は、商品収納装置１０から払い出された商品を該搬出ユニット３０に向けて案内するものである。
【００４０】
搬出フラッパ５０は、図６に示すように、湾曲形状を成しており、上端部に形成された軸部５１が内扉３の商品搬出口３ａの上端縁部に形成された軸受部材３ｂに該軸部５１の中心軸回りに揺動可能に配設されている。この搬出フラッパ５０の下端部は、搬出フラッパ５０が待機状態にある場合に商品搬出口３ａの上端縁よりも僅かに下方に位置しており、これにより搬出フラッパ５０は、商品搬出口３ａを通過する商品の通過域に対して進退移動可能に配設されている。
【００４１】
以上のような構成を有する商品搬出装置２０においては、搬出ユニット３０が次のように駆動する。図６に示すように、モータ３２４の駆動により搬出駆動機構３２が回転軸３２２を中心軸回りに図中の矢印方向に回転させることにより、角孔３２１ｂが該回転軸３２２の両端部３２２ａが挿通されるロッド３２１は、該回転軸３２２の中心軸回りに回転することとなる。これにより、ロッド３２１の軸状部３２１ａに後端部３１２が巻回される態様で支持された搬出基部３１は、前端部３１１が載置台３５に摺接する態様で上下方向及び前後方向に沿って搬出駆動する（図６中の二点鎖線を参照）。
【００４２】
このように搬出基部３１が搬出駆動することにより、サーペンタイン式の商品収納装置１０から払い出された商品だけでなく、直積式の商品収納装置１０から払い出された商品（菓子商品）についても商品搬出口３ａを通過する態様で搬出することができ、商品取出口２ａを通じて該商品を取り出し可能な状態にさせることができる。
【００４３】
そして、搬出基部３１の上面には、表面材３１ａが設けられることにより、複数の段状部３１ａ２が前後方向に対して左右に傾斜する方向に沿って延在する態様で所定間隔毎に設けられることで段差が形成されているので、直積式の商品収納装置１０から払い出された商品が搬出基部３１の上面で起立姿勢となっても、搬出基部３１の搬出駆動と相俟って該商品を横倒姿勢にすることができ、かかる横倒姿勢で搬出することができる。
【００４４】
以上説明したように本実施の形態である商品搬出装置２０によれば、搬出基部３１の前端部３１１が載置台３５に載置された状態で後方に向けて漸次上方に傾斜する態様で後端部３１２が支持され、搬出駆動機構３２が、モータ３２４より駆動力が付与されることにより搬出基部３１の前端部３１１が載置台３５に摺接する態様で搬出基部３１を上下方向及び前後方向に沿って搬出駆動させるので、略円筒状の容器に入れられた商品だけでなく、箱状の容器に入れられた商品についても搬出することができるので、商品詰まり等を発生させずに各種商品を良好に搬出することができる。
【００４５】
上記商品搬出装置２０によれば、商品搬出口３ａを通過する商品の通過域に進退移動可能に配設されているので、上下方向の長さが商品搬出口３ａの上下寸法に略等しい商品については搬出フラッパ５０で確実に止めて搬出基部３１の搬出駆動により横倒姿勢にしてから商品搬出口３ａを通過させることができ、これによっても商品詰まりの発生を防止することができる。そして、搬出フラッパ５０は、自身の軸部５１の中心軸回りに揺動可能となっていることで、つまり商品の通過域に進退移動可能となっていることで、搬出駆動する搬出基部３１との間で商品を挟み込んでしまう虞れがなく、これにより商品に損傷を与えることを防止することができる。
【００４６】
また、上記商品搬出装置２０によれば、搬出シュータ４０に取り付けられたアタッチメント部材４１が搬出シュータ４０よりも大きな傾斜角度を有する搬出面４１ａを備えているので、箱状の容器に入れられた商品についても確実に搬出ユニット３０にまで転動若しくは滑動させることができ、これによっても商品詰まりの発生を防止できる。
【００４７】
以上、本発明の好適な実施の形態について説明したが、本発明はこれに限定されるものではなく、種々の変更を行うことができる。
【００４８】
上述した実施の形態においては、搬出フラッパ５０は、上端部に形成された軸部５１が内扉３の商品搬出口３ａの上端縁部に形成された軸受部材３ｂに該軸部５１の中心軸回りに揺動可能に配設されることで、商品搬出口３ａを通過する商品の通過域に対して進退移動可能に配設されていたが、本発明においては、図７に示すように、上端部に形成された軸部５２が内扉３の商品搬出口３ａの上端縁部に形成された軸受部材３ｃの長孔３ｃ１に挿通されることで上下方向に沿って変位可能に配設されることで、商品搬出口３ａを通過する商品の通過域に対して進退移動可能に配設されていてもよい。
【００４９】
上述した実施の形態では、搬出基部３１の上面には、複数の段状部３１ａ２が前後方向に対して左右に傾斜する方向に沿って延在する態様で所定間隔毎に設けられることで段差が形成されていたが、本発明においては、段状部は、前後方向と異なる方向に沿って延在する態様で所定間隔毎に設けられることで段差が形成されていてもよい。
【産業上の利用可能性】
【００５０】
以上のように、本発明に係る自動販売機の商品搬出装置は、各種商品を販売する自動販売機に有用である。
【符号の説明】
【００５１】
１  本体キャビネット
２  外扉
２ａ  商品取出口
３  内扉
３ａ  商品搬出口
３ｂ  軸受部材
４  商品収容庫
１０  商品収納装置
２０  商品搬出装置
３０  搬出ユニット
３１  搬出基部
３１１  前端部
３１２  後端部
３１ａ  表面材
３１ａ１  基部
３１ａ２  段状部
３２  搬出駆動機構
３２１  ロッド
３２１ａ  軸状部
３２１ｂ  角孔
３２２  回転軸
３２３  回転ユニット
３２４  モータ
３５  載置台
３６  ベース
４０  搬出シュータ
４１  アタッチメント部材
４１ａ  搬出面
４２  ガイド
５０  搬出フラッパ
５１  軸部
【図１】
0006003114.tif 000002
【図２】
0006003114.tif 000003
【図３】
0006003114.tif 000004
【図４】
0006003114.tif 000005
【図５】
0006003114.tif 000006
【図６】
0006003114.tif 000007
【図７】
0006003114.tif 000008